(57)【要約】      （修正有）【課題】ゴルフクラブヘッドの重心調整の自由度を高めることができる異なった比重の複合金属を有するバランスウェイトの構造を提供する。【解決手段】第一金属層２１および第二金属層２２を含む。第一金属層には少なくとも一個の嵌入孔２１１が形成され、嵌入孔は第一金属層の二個の相対する表面を貫穿する。第一金属層には当接部２１２が形成される。第二金属層には少なくとも一個の嵌入孔に対応する嵌合部２２１が形成され、嵌合部は嵌入孔の内に嵌入する。第二金属層には貼接部２２２が形成され、貼接部と当接部は互いに当接して緊密に貼接するように形成される。第一金属層の比重は第二金属層の比重より小さく、かつ第一金属層と第二金属層の比重はそれぞれ９．３〜１８ｇ／ｍ３である。【選択図】図２
0003185000.tif 000002
【実用新案登録請求の範囲】
【請求項１】
第一金属層（２１）および第二金属層（２２）を含む異なった比重の複合金属を有するバランスウェイトの構造において、第一金属層（２１）には少なくとも一個の嵌入孔（２１１）が形成され、嵌入孔（２１１）は第一金属層（２１）の二個の相対する表面を貫穿し、かつ第一金属層（２１）には一個の当接部（２１２）が形成され、第二金属層（２２）には少なくとも一個の嵌入孔（２１１）に対応する少なくとも一個の嵌合部（２２１）が形成され、嵌合部（２２１）は嵌入孔（２１１）の内に嵌入し、かつ第二金属層（２２）には一個の貼接部（２２２）が形成され、貼接部（２２２）と当接部（２１２）は互いに当接して緊密に貼接するように形成され、第一金属層（２１）の比重は第二金属層（２２）の比重より小さく、かつ第一金属層（２１）と第二金属層（２２）の比重はそれぞれ９．３〜１８g/m3 であることを特徴とする異なった比重の複合金属を有するバランスウェイトの構造。
【請求項２】
第一金属層（２１）は比重が９．３〜１４g/m3 のタングステン−フェロ−ニッケル合金からなり、第二金属層（２２）は比重が１５〜１８g/m3 のタングステン−フェロ−ニッケル合金からなることを特徴とする請求項１に記載の異なった比重の複合金属を有するバランスウェイトの構造。
【請求項３】
第一金属層（２１）は環状で、かつ第二金属層（２２）の周囲を取り囲むように形成され、第一金属層（２１）の嵌入孔（２１１）は一個の中央貫穿孔からなることを特徴とする請求項１または２に記載の異なった比重の複合金属を有するバランスウェイトの構造。
【請求項４】
嵌合部（２２１）は貼接部（２２２）の表面から突き出て、かつ嵌入孔（２１１）に対応する一個の突出体からなり、上記突出体は中央貫穿孔からなる嵌入孔（２１１）の内に嵌入することを特徴とする請求項３に記載の異なった比重の複合金属を有するバランスウェイトの構造。
【請求項５】
第一金属層（２１’）の嵌入孔（２１１’）は複数個で、複数個の嵌入孔（２１１’）は第一金属層（２１’）の二個の相対する表面を貫穿し、かつ間隔をもって設置するように形成され、第二金属層（２２’）の嵌合部（２２１’）は複数個の嵌入孔（２１１’）に対応して複数個からなり、複数個の嵌合部（２２１’）はそれぞれ複数個の嵌入孔（２１１’）の内に嵌入することを特徴とする請求項１または２に記載の異なった比重の複合金属を有するバランスウェイトの構造。
【請求項６】
第一金属層（２１’）の複数個の嵌入孔（２１１’）は斜めの方向に設置されることを特徴とする請求項５に記載の異なった比重の複合金属を有するバランスウェイトの構造。
【考案の詳細な説明】
【技術分野】
【０００１】
本考案は、ゴルフクラブヘッドのバランスウェイトの構造に関するもので、特に異なる比重を有する複合金属によって成形されるバランスウェイトの構造に係るものである。
【背景技術】
【０００２】
ゴルフクラブヘッドが最高なスイングの効果を発揮させるべく、一般として選択的にクラブヘッドの底部にバランスウェイトの構造を設置することで、ゴルフクラブヘッドの重心を変えることにより、そのスイングの安定性を増進させるとともに、打球の飛距離を予期される位置に落下するようにコントロールすることができる。
【０００３】
例えば、図６、７に示す中華民国公告第Ｍ２９１３１０号においては、高比重複合のバランスウェイト体を有するゴルフクラブヘッドが掲示される。ゴルフクラブヘッド９には一個の本体９１および一個の高比重複合のバランスウェイト体９２が含まれ、本体９１の底部には内へ凹むように一個の配置部９１１が形成される。高比重複合のバランスウェイト体９２は配置部９１１に固設される。高比重複合のバランスウェイト体９２は一個のバランスウェイト外層９２１と一個のバランスウェイト内層９２２からなる。これにより、ゴルフクラブヘッド９を使用するとき、高比重複合のバランスウェイト体９２によってゴルフクラブヘッド９の重心を調整することにより、そのスイングの安定性を高めるとともに、最高なスイングの効果を発揮することができる。
【先行技術文献】
【特許文献】
【０００４】
【特許文献１】中華民国公告第Ｍ２９１３１０号公報
【考案の概要】
【考案が解決しようとする課題】
【０００５】
しかしながら、上述した従来の高比重複合のバランスウェイト体９２は、先ず鋳造によってバランスウェイト外層９２１を成形しなければならず、それから再び圧合と焼結の方式を経てバランスウェイト内層９２２と一体になるように結合して、本体９１の配置部９１１に置き入れることができるものである。このように、高比重複合のバランスウェイト体９２は、鋳造、圧合と焼結などの複数の工程を経なければならないため、製造上において極めて不便になり、さらに鋳造と焼結の加工特性が異なることにより、同じ成分で比重が異なる合金には適用することができないため、バランスウェイト外層９２１とバランスウェイト内層９２２の間の結合強度が悪くなるという問題点があった。
【０００６】
さらに、図７に示すように、従来のゴルフクラブヘッド９に高比重複合のバランスウェイト体９２を内装する場合、バランスウェイト外層９２１の比重がバランスウェイト内層９２２の比重より低いときには、バランスウェイト内層９２２が完全にバランスウェイト外層の９２１内に被覆されるため、高比重のバランスウェイト内層９２２を有しても、クラブヘッドの重心を調整する自由度に影響を与えてしまうという問題点があった。このような状態で、従来のゴルフクラブヘッド９では低比重のバランスウェイト外層９２１に頼ることによってゴルフクラブヘッド９の重心を低く下げることができなかった。従って、ゴルフクラブヘッド９のスイングの安定性とその飛距離をコントロールして予期される位置に落下させるという打球の効果は、依然として改良する余地が残っている。
【０００７】
上述した問題点に基づき、上述した従来のバランスウェイトの構造を確実に改良しなければならず、従来のものと異なるバランスウェイトの構造をゴルフクラブヘッドに適用することにより、上述した各種の問題点を解決する。
【０００８】
本考案はこのような問題点に鑑みて考案されたものであって、その第一の目的は、比較的良好な結合の安定性を有するとともに、バランスウェイトの自由度を高めることができる異なった比重の複合金属を有するバランスウェイトの構造。
【０００９】
本考案の第二の目的は、簡単な製造工程でゴルフクラブヘッドに配置することにより、組立ての利便性を高めることができる異なった比重の複合金属を有するバランスウェイトの構造。
【課題を解決するための手段】
【００１０】
上記目的を達成するために、本考案による複合金属を有するバランスウェイトの構造は、第一金属層および第二金属層を含む。第一金属層には少なくとも一個の嵌入孔が形成され、嵌入孔は第一金属層の二個の相対する表面を貫穿し、かつ第一金属層には一個の当接部が形成される。第二金属層には少なくとも一個の嵌入孔に対応する少なくとも一個の嵌合部が形成され、嵌合部は嵌入孔内に嵌入し、かつ第二金属層には一個の貼接部が形成され、貼接部と当接部は互いに当接して緊密に貼接するように形成される。第一金属層の比重は第二金属層の比重より小さく、かつ第一金属層と第二金属層の比重はそれぞれ９．３〜１８g/m3 である。
【００１１】
また、本考案による複合金属を有するバランスウェイトの構造は、第一金属層は、比重が９．３〜１４g/m3 のタングステン−フェロ−ニッケル合金からなり、第二金属層は、比重が１５〜１８g/m3 のタングステン−フェロ−ニッケル合金からなることもできる。また、第一金属層は環状で、かつ第二金属層の周囲を取り囲むように形成され、第一金属層の嵌入孔は一個の中央貫穿孔からなることもできる。また、嵌合部は貼接部の表面から突き出て、かつ嵌入孔に対応する一個の突出体からなり、突出体は中央貫穿孔からなる嵌入孔の内に嵌入することもできる。
【００１２】
また、本考案による複合金属を有するバランスウェイトの構造は、第一金属層の嵌入孔は複数個で、複数個の嵌入孔は第一金属層の二個の相対する表面を貫穿し、かつ間隔をもって設置するように形成され、第二金属層の嵌合部は複数個の嵌入孔に対応して複数個からなり、複数個の嵌合部はそれぞれ複数個の嵌入孔の内に嵌入することもできる。また、第一金属層の複数個の嵌入孔は斜めの方向に設置されることもできる。
【考案の効果】
【００１３】
本考案の複合金属を有するバランスウェイトの構造によれば、比較的良好な結合安定性を有するとともに、バランスウェイトの自由度を高めることができるという利点がある。
【００１４】
本考案の複合金属を有するバランスウェイトの構造によれば、簡単な製造工程でゴルフクラブヘッドに配置することにより、組立ての利便性を高めることができるという利点がある。
【図面の簡単な説明】
【００１５】
【図１】図１は、本考案の実施例によるバランスウェイトの構造とクラブヘッドの組み立て前の斜視図である。
【図２】図２は、本考案の実施例によるバランスウェイトの構造の一部分の構造の断面図である。
【図３】図３は、本考案のもう一つの実施例のバランスウェイトの構造の一部分の構造の断面図一である。
【図４】図４は、本考案のもう一つの実施例のバランスウェイトの構造の一部分の構造の断面図二である。
【図５】図５は、本考案のまたもう一つの実施例によるバランスウェイトの構造の斜視図である。
【図６】図６は、従来のバランスウェイトの構造とクラブヘッドの組み立て前の斜視図である。
【図７】図７は、従来のバランスウェイトの構造とクラブヘッドの組み立てられた状態の断面図である。
【考案を実施するための形態】
【００１６】
本考案の実施の形態について、以下、図面を参照して説明する。
【００１７】
図１は本考案の実施例のバランスウェイトの構造とクラブヘッドの組み立て前の斜視図で、図２は本考案の実施例のバランスウェイトの構造の一部分の構造の断面図である。図１、２を参照すると、異なった比重の複合金属を有するバランスウェイトの構造は一個のバランスウェイト体からなることができ、かつ一個のゴルフクラブヘッド１に設けられた一個の配置溝１１の内に結合される。配置溝１１は好ましくはゴルフクラブヘッド１の底部に開設される。その中、バランスウェイト体の外観形態はいかなる幾何的態様からなることもでき、特別に制限する必要はない。
【００１８】
図２を参照すると、バランスウェイト体を例とするバランスウェイトの構造２には、一個の第一金属層２１および一個の第二金属層２２が含まれる。第一金属層２１と第二金属層２２は互いに貼接し、かつ、第二金属層２２は部分的に第一金属層２１の中に嵌入される。これにより、第一金属層２１は第二金属層２２の周囲を取り囲むように形成され、さらに部分的にその中に嵌入された第二金属層２２と共同でバランスウェイトの構造２の外層となり、他に第一金属層２１と互いに貼接する第二金属層２２はバランスウェイトの構造２の内層となる。
【００１９】
この中、第一金属層２１の比重は第二金属層２２の比重より小さく、かつ、第一金属層２１と第二金属層２２は選択的に同じまたは異なる合金により組成することができる。好ましくは、第一金属層２１と第二金属層２２は、同じタングステン−フェロ−ニッケル合金からなり、かつ、第一金属層２１と第二金属層２２の比重はそれぞれ選択的に９．３〜１８g/m3 からなる。例えば、第一金属層２１は、比重が９．３〜１４g/m3 のタングステン−フェロ−ニッケル合金からなり、第二金属層２２は、比重が１５〜１８g/m3 のタングステン−フェロ−ニッケル合金からなることができる。
【００２０】
本実施例において、第一金属層２１には少なくとも一個の嵌入孔２１１が形成される。嵌入孔２１１は第一金属層２１の二個の相対する表面を貫穿し、特に図２に示すように、環状形態の第一金属層２１の一個の中央貫穿孔からなることができ、かつ第一金属層２１には一個の当接部２１２が形成されることにより、第二金属層２２が互いに結合するのに用いることができる。第二金属層２２には少なくとも一個の嵌入孔２１１に対応する少なくとも一個の嵌合部２２１が形成される。嵌合部２２１は貼接部２２２の表面から突き出て、かつ嵌入孔２１１に対応する一個の突出体からなることにより、嵌合部２２１から第一金属層２１の嵌入孔２１１の内に嵌入し、かつ第二金属層２２には一個の貼接部２２２が形成される。貼接部２２２と当接部２１２は互いに当接して緊密に貼接するように形成される。
【００２１】
引き続き図１、２を参照すると、バランスウェイトの構造２が焼結を経て一体に形成され、さらにゴルフクラブヘッド１の配置溝１１に置き入れられると、バランスウェイトの構造２の第一金属層２１によって簡単にゴルフクラブヘッド１と互いに溶接して結合することができ、さらに第二金属層２２によってゴルフクラブヘッド１の重心を有効に低く下げることができる。このように、簡単な製造工程によって本考案のバランスウェイトの構造２をゴルフクラブヘッド１に配置することができるだけではなく、さらにバランスウェイトの構造２の異なった比重の特性を利用することにより、結合の安定性を高めることができるとともに、バランスウェイトの自由度を相対的に高めることができる。
【００２２】
図３は、本考案のもう一つの実施例によるバランスウェイトの構造の一部分の構造の断面図一である。図３を参照すると、バランスウェイトの構造２’は上述した実施例と同様に一個のバランスウェイト体からなることができ、かつバランスウェイトの構造２’には一個の第一金属層２１’および一個の第二金属層２２’が含まれる。第二金属層２２’も部分的に第一金属層２１’の中に嵌入され、かつ、第一金属層２１’の比重は第二金属層２２’の比重より小さく、好ましくは、両金属層の比重は選択的に９．３〜１８g/m3 の範囲内である。
【００２３】
本実施例において、第一金属層２１’には複数個の嵌入孔２１１’が形成され、複数個の嵌入孔２１１’は全て第一金属層２１’の二個の相対する表面を貫穿し、特に図３に示すように、間隔をもって設置するように形成される。第一金属層２１’にも一個の当接部２１２’が形成されることにより、第二金属層２２’と互いに結合するのに用いることができる。第二金属層２２’には複数個の嵌合部２２１’と一個の貼接部２２２’が形成される。複数個の嵌合部２２１’はそれぞれ貼接部２２２’の表面から突き出て、嵌入孔２１１’に対応する一個の突出体からなることにより、複数個の嵌合部２２１’からそれぞれ第一金属層２１’の複数個の嵌入孔２１１’の内に嵌入する。貼接部２２２’は同様に当接部２１２’と互いに当接して緊密に貼接するように形成される。
【００２４】
このように、低比重の第一金属層２１’は高比重の第二金属層２２’と交錯して形成されることにより、バランスウェイトの構造２’の全体的な外観を変えることができ、さらにゴルフクラブヘッドに特殊な表面を形成することができる。
【００２５】
図４は、本考案のもう一つの実施例のバランスウェイトの構造の一部分の構造の断面図二である。上述した実施例と同じ概念に基づき、第一金属層２１’の複数個の嵌入孔２１１’は、図４に示すように、選択的に斜めの方向に設置される。これにより、バランスウェイトの構造２’はそれによって異なる外観の態様を有するように形成される。その他の構造は上述した実施例と同じため、ここではその説明を割愛する。
【００２６】
図５は、本考案のまたもう一つの実施例の斜視図である。図５を参照すると、本考案の異なった比重の複合金属を有するバランスウェイトの構造は、直接一個のゴルフクラブヘッドの底蓋からなることができる。図５に示すように、バランスウェイトの構造３は一個の第一金属層３１および一個の第二金属層３２によって共同で嵌入してなることができる。その中、第一金属層３１と第二金属層３２の細部の構造や配置は全て上述した実施例とは同じであるため、ここではその説明を割愛する。
【００２７】
上述を綜合すると、本考案の異なった比重の複合金属を有するバランスウェイトの構造の主な特徴は、異なった比重の複合金属を内、外層の構造になるように嵌入させることにより、外層の低比重の第一金属層２１、２１’によってゴルフクラブヘッド１と簡単に溶接して結合することができるだけではなく、バランスウェイトの構造２、２’、３とゴルフクラブヘッド１との結合安定性を高めることができる。
【００２８】
また、一部分の高比重の第二金属層２２、２２’は第一金属層２１、２１’によって被覆されていないため、第二金属層２２、２２’によってゴルフクラブヘッド１の重心を調整する自由度を間接的に増やすことができる。これにより、バランスウェイトの構造２、２’、３のより良好なバランスウェイトの効果を発揮することにより、ゴルフクラブヘッド１の重心を有効に低く下げることができ、溶接による結合の安定性を高めることができると同時に、バランスウェイトの自由度を高めることができる。
【００２９】
その他に、本考案のバランスウェイトの構造によれば、簡単な製造工程でゴルフクラブヘッド１に配置することができ、或いは直接ゴルフクラブヘッドの底蓋として配置することができるため、バランスウェイトの構造２、２’、３の組立ての利便性を増やすことができる。
【００３０】
本考案は、その精神とび必須の特徴事項から逸脱することなく他のやり方で実施することができる。従って、本明細書に記載した好ましい実施形態は例示的なものであり、限定を意図するものではない。
【符号の説明】
【００３１】
１    ゴルフクラブヘッド
１１    配置溝
２    バランスウェイトの構造
２’  バランスウェイトの構造
２１    第一金属層
２１’  第一金属層
２１１    嵌入孔
２１１’  嵌入孔
２１２    当接部
２１２’  当接部
２２    第二金属層
２２’  第二金属層
２２１    嵌合部
２２１’  嵌合部
２２２    貼接部
２２２’  貼接部
３    バランスウェイトの構造
３１    第一金属層
３２    第二金属層
９    ゴルフクラブヘッド
９１    本体
９１１    配置部
９２    高比重複合バランスウェイト体
９２１    バランスウェイト外層
９２２    バランスウェイト内層
【図１】
0003185000.tif 000003
【図２】
0003185000.tif 000004
【図３】
0003185000.tif 000005
【図４】
0003185000.tif 000006
【図５】
0003185000.tif 000007
【図６】
0003185000.tif 000008
【図７】
0003185000.tif 000009